(57)【特許請求の範囲】
【請求項１】
釣り糸を前方に繰り出し、フレームと、前記フレームに固定されモータをスプール内に収納するように保持する保持部材と、を有するリール本体、を備えた電動リールの前記モータを冷却するための電動リールのモータ冷却装置であって、
前記保持部材と前記フレームのいずれかに固定可能な固定部と、
前記リール本体の糸繰り出し側の前部であって、巻き取り時に釣り糸が通る位置の下方に配置される冷却部と、
前記固定部と前記冷却部とを連結する連結部と、
を備える電動リールのモータ冷却装置。
【請求項２】
前記固定部、冷却部及び連結部は、アルミニウム合金製である、請求項１に記載の電動リールのモータ冷却装置。
【請求項３】
前記冷却部は、アルミニウム合金製の板状部材を波板形状に折り曲げられている、請求項２に記載の電動リールのモータ冷却装置。
【請求項４】
前記固定部、冷却部及び連結部は、一体形成されている、請求項１から３のいずれか１項に記載の電動リールのモータ冷却装置。
【請求項５】
前記リール本体は、リング状の固定面を有するフレームと、前記固定面に固定され、前記モータを保持する保持部材と、を有し、
前記固定部は、リング状であり、前記フレームと前記保持部材との間に配置され、
前記連結部は、前記固定部から前方に延びて前記冷却部に連結される、請求項１から４のいずれか１項に記載の電動リールのモータ冷却装置。
【請求項６】
前記保持部材は、アルミニウム合金製であり、外側面に複数の冷却フィンが形成されている、請求項５に記載の電動リールのモータ冷却装置。
【請求項７】
前記電動リールは、前記釣り糸を巻き取るスプールの前方に配置され、前記釣り糸を前記スプールに均一に巻き付けるためのレベルワインド機構を有し、
前記リール本体は、前記電動リールの前部をカバーする前カバーを有し、
前記冷却部は、前記レベルワインド機構と、前記前カバーの間に配置される、請求項１から６のいずれか１項に記載の電動リールのモータ冷却装置。
【発明の詳細な説明】
【技術分野】
【０００１】
本発明は、冷却装置、特に、釣り糸を前方に繰り出す電動リールのリール本体に固定される保持部材により保持されるモータを冷却するための電動リールのモータ冷却装置に関する。
【背景技術】
【０００２】
モータでスプールを糸巻取方向に回転させる電動リールでは、モータを冷却するためにモータを保持する保持部材に冷却フィンを設けている。放熱フィンだけでは、特にモータが大型化すると、放熱効率が充分ではないことがある。そこで、モータ又はモータを駆動するモータ駆動部からの発熱を外部に逃がすためのヒートパイプを用いた電動リールのモータ冷却装置が従来知られている（例えば、特許文献１参照）。従来のモータ冷却装置は、モータ又はモータ駆動部に設けられた伝熱部とリール本体の上部に設けられた放熱部とをヒートパイプで連結している。そして、モータ又はモータ駆動部で発生する熱を、ヒートパイプを介してリール本体の上部に逃がしている。放熱部は、リール本体にカウンタを設けるために設けられた板状の連結部の下面に固定されている。
【先行技術文献】
【特許文献】
【０００３】
【特許文献１】特開平１０−１９１８５０号公報
【発明の概要】
【発明が解決しようとする課題】
【０００４】
従来の電動リールのモータ冷却装置では、放熱板を合成樹脂製のリール本体の上部に配置された連結部の下面に配置している。このため、放熱部が外気に接触しにくいため、放熱を充分に行えず、高い冷却効率を得にくい。
【０００５】
本発明の課題は、電動リールのモータ冷却装置において、冷却効率をさらに高めることにある。
【課題を解決するための手段】
【０００６】
発明１に係る電動リールのモータ冷却装置は、釣り糸を前方に繰り出し、フレームと、フレームに固定されモータをスプール内に収納するように保持する保持部材と、を有するリール本体、を備えた電動リールのモータ冷却装置である。モータ冷却装置は、固定部と、冷却部と、連結部と、を備えている。固定部は、フレームと保持部材のいずれに固定可能である。冷却部は、リール本体の糸繰り出し側の前部であって、巻き取り時に釣り糸が通る位置の下方に配置される。連結部は、固定部と冷却部とを連結する。
【０００７】
この電動リールの冷却装置では、保持部材とフレームのいずれかに固定される固定部から連結部を経て冷却部にモータからの熱が伝達される。この冷却部は、リール本体の前部であって、釣り糸が通る位置の下方に配置されている。すなわち、通常の電動リールに設けられるレベルワインド機構の釣り糸案内部の下方に冷却部が配置される。このため、冷却部が外気に充分に接触する。さらに、モータにより釣り糸が巻き取られるとき、釣り糸に付着した水分が冷却部に滴り落ちる。ここでは、冷却部が、リール本体の前部であって、釣り糸が通る位置の下方に配置されている。このため、冷却部が外気に充分に接触するとともに、釣り糸に付着した水分によっても冷却部が冷やされる。これにより、モータ冷却装置の冷却効率がさらに高くなる。
【０００８】
発明２に係る電動リールのモータ冷却装置は、発明１に記載の装置において、固定部、冷却部及び連結部は、アルミニウム合金製である。この場合には、熱伝達率が高く軽量なアルミニウム合金を冷却装置に用いることにより、重量増を抑えて冷却効率を高めることができる。
【０００９】
発明３に係る電動リールのモータ冷却装置は、発明２に記載の装置において、冷却部は、アルミニウム合金製の板状部材を波板形状に折り曲げられている。この場合には、冷却部の外気との接触面積が大きくなるので、さらに冷却効率を高めることができる。
【００１０】
発明４に係る電動リールのモータ冷却装置は、発明１から３のいずれかに記載の装置において、固定部、冷却部及び連結部は、一体形成されている。この場合には、固定部、冷却部及び連結部が一体形成されているので、熱伝達途中での損失が少なくなり、冷却効率をさらに高めることができる。
【００１１】
発明５に係る電動リールのモータ冷却装置は、発明１から４のいずれかに記載の装置において、リール本体は、リング状の固定面を有するフレームと、固定面に固定され、モータを保持する保持部材と、を有する。固定部は、リング状であり、フレームと保持部材との間に配置される。連結部は、固定部から前方に延びて冷却部に連結される。この場合には、固定面と固定部がリング状であり、フレームと保持部材との間に配置されるので、保持部材のフレームへの固定と、固定部のフレームへの固定とを同時に行える。このため、モータ冷却装置のリール本体への組み付けが容易である。
【００１２】
発明６に係る電動リールのモータ冷却装置は、発明５に記載の装置において、保持部材はアルミニウム合金製であり、外側面に複数の冷却フィンが形成されている。この場合には、保持部材でもモータを冷却できるので、冷却効率をさらに高めることができる。
【００１３】
発明７に係る電動リールのモータ冷却装置は、発明１から６のいずれかに記載の装置において、電動リールは、釣り糸を巻き取るスプールの前方に配置され、釣り糸をスプールに均一に巻き付けるためのレベルワインド機構を有し、リール本体は、電動リールの前部をカバーする前カバーを有し、冷却部は、レベルワインド機構と、前カバーの間に配置される。この場合には、冷却部がレベルワインド機構と前カバーとの間に配置されるので、冷却部をリール本体の前部に設けても、リール全体の前後方向の長さの増加を抑えることができる。
【発明の効果】
【００１４】
本発明によれば、冷却部が、リール本体の前部であって、釣り糸が通る位置の下方に配置されている。このため、冷却部が外気に充分に接触するとともに、釣り糸に付着した水分によっても冷却部が冷やされる。これにより、冷却装置の冷却効率がさらに高くなる。
【図面の簡単な説明】
【００１５】
【図１】本発明の一実施形態が採用される電動リールの斜視図。
【図２】その縦断面図。
【図３】ハンドルと逆側の側カバーを外した状態の電動リールの側面一部断面図。
【図４】モータ冷却部材の斜視図
【発明を実施するための形態】
【００１６】
本発明の一実施形態を採用した電動リールは、図１に示すように、主にハンドル１が装着されたリール本体２と、リール本体２に回転自在に装着されたスプール３と、スプール３内に装着されたモータ４とを備えている。リール本体２の上部には、水深表示等を行うためのカウンタケース５が装着されている。リール本体２の内部には、図２に示すように、ハンドル１の回転をスプール３に伝達するとともに、モータ４の回転をスプール３に伝達する回転伝達機構６が設けられている。
【００１７】
リール本体２は、図２に示すように、フレーム１３と、フレーム１３の両側方を覆う第１側カバー１４及び第２側カバー１５と、モータ４を保持するモータホルダ２７（保持部材の一例）と、を有している。また、リール本体２は、フレーム１３の前部を覆う前カバー２３（図３参照）を有している。フレーム１３は、アルミニウムダイキャスト製の一体成形された部材であり、１対の第１側板１６及び第２側板１７と、第１側板１６及び第２側板１７を複数箇所で連結する複数の連結部材１８とを有している。第１側板１６は、リング状の固定面１６ａを外側面に有している。下部の連結部材１８には、釣り竿を装着するための竿装着脚１９が装着されている。第１側板１６は、周縁部にリブを有する板状部材である。
【００１８】
第１側カバー１４は、第１側板１６の外方を覆う。第２側カバー１５は、第２側板１７の外方を覆う。第２側カバー１５には、回転伝達機構６のハンドル軸が支持される。前カバー２３は、フレーム１３の第１側板１６及び第２側板１７の外側面に沿って延びる一対の耳部２３ａを有している。前カバー２３は、耳部２３ａを挿通する図示しないボルト部材により、第１側板１６及び第２側板１７の外側面に固定されている。耳部２３ａは、第１側カバー１４及び第２側カバー１５を装着することより、カバーされる。
【００１９】
モータホルダ２７は、フレーム１３に固定されている。モータホルダ２７は、アルミニウム合金製のダイキャストされた部材であり、第１側板１６の中心部の軸方向外側に配置され、固定ボルト２６により第１側板１６に固定されている。
【００２０】
モータホルダ２７には、モータ４が着脱可能に装着されている。モータ４は、スプール３内に形成されたモータ収納空間３ａに収納されている。モータ収納空間３ａは、グリス等によりシールされている。モータホルダ２７の内部には、図２に示すように、軸方向内方（図２右方）に突出する筒状のモータ保持部２７ａと、モータ保持部２７ａの内周側から軸方向外方（図２左方）に突出するクラッチ収納部２７ｂと、が形成されている。モータ保持部２７ａの軸方向内側の端面には、モータ４の蓋部材３２が取付ボルト２４により締結されている。また、モータ保持部２７ａの外周面には、スプール３の一端を回転自在に支持するためのシール付きの転がり軸受２５が装着されている。転がり軸受２５の外輪２５ａは、スプール３の内周面に装着され、内輪２５ｂは、モータ保持部２７ａの外周面に装着され、モータ４とモータ保持部２７ａとによって挟持されている。クラッチ収納部２７ｂの内周面には、ワンウェイクラッチ２９が装着されている。ワンウェイクラッチ２９は、ローラ式のものであり、モータ４の出力軸３０の糸繰り出し方向の回転を禁止する。また、モータホルダ２７の外側面には、図３に示すように、放射状に多数の放熱フィン２７ｃが形成されている。
【００２１】
スプール３の前方には、図３に示すように、レベルワインド機構２０が設けられている。レベルワインド機構２０は、スプール３に釣り糸を左右方向に均等に巻き付けるために設けられている。レベルワインド機構２０は、スプール３の回転に連動して左右に移動する釣り糸案内部２１と、釣り糸案内部２１をスプール３に連動して左右に駆動する駆動機構２２と、を有している。釣り糸案内部２１には、スプールに巻き付けられる釣り糸が案内されるガイドリング２１ａが設けられている。駆動機構２２は、ハンドル１装着側でスプール３の回転が伝達される交差する螺旋状溝を有する螺軸２２ａを有する。螺軸２２ａは、スプール３の前方にスプール３と平行に配置されている。
【００２２】
モータホルダ２７と、フレーム１３の第１側板１６との間には、本発明の一実施形態によるモータ冷却装置であるモータ冷却部材５０が固定されている。モータ冷却部材５０は、アルミニウム合金製の板状の部材である。モータ冷却部材５０は、固定ボルト２６によりモータホルダ２７とともにフレーム１３に固定されている。固定ボルト２６は、第１側板１６の内側面から第１側板１６およびモータ冷却部材５０を貫通してモータホルダ２７にねじ込まれる。したがって、この実施形態では、モータ冷却部材５０は、リール本体２のフレーム１３に固定されている。しかし、モータ冷却部材５０がリール本体２のモータホルダ２７に固定されても良い。
【００２３】
モータ冷却部材５０は、フレーム１３に固定される固定部５２と、リール本体２の糸繰り出し側の前部に配置される冷却部５４と、固定部５２と冷却部５４とを連結する連結部５６と、を備えている。図４に示すように、固定部５２は、第１側板１６の固定面１６ａに配置されるリング状の板状の部分である。固定部５２には、モータホルダ２７と同様に、固定ボルト２６が貫通する複数のボルト孔５２ａが周方向に間隔を隔てて形成されている。冷却部５４は、図３に示すように、リール本体２の前部において、巻取時に釣り糸ＦＬが通る位置の下方に配置されている。具体的には、冷却部５４は、前カバー２３と、レベルワインド機構２０の間に配置されている。冷却部５４は、図４に示すように、アルミニウム合金製の板状部材を波板形状に山形に折り曲げて形成されたフィン部５４ａを有している。折り曲げられたフィン部５４ａにより、冷却部５４の外気との接触面積が大きくなる。連結部５６は、固定部５２から前方に延びている。
【００２４】
モータ４は、リール本体２に回転自在に支持されたスプール３を糸巻取方向に駆動する。モータ４は、基端に円形の開口を有する有底筒状のケース部材３１と、開口を塞ぐためにケース部材３１の基端に固定された蓋部材３２と、ケース部材３１と蓋部材３２とに回転自在に装着された出力軸３０と、を有している。
【００２５】
出力軸３０は、ケース部材３１と蓋部材３２とに回転自在に装着されている。出力軸３０の左端は蓋部材３２から突出しており、そこには、セレーション３０ａが形成され、モータ４の逆転を防止するワンウェイクラッチ２９がたとえばセレーション結合により回転不能に固定されている。出力軸３０の右端部３０ｂは、図２に示すようにケース部材３１の先端から突出している。この突出した先端には、回転伝達機構６を構成する２段減速の遊星歯車機構４０が装着されている。
【００２６】
カウンタケース５は、釣り糸の先端に装着された仕掛けの水深を表示するとともに、モータ４を制御するためにリール本体２の上部に設けられている。カウンタケース５には、図１に示すように、仕掛けの水深データや棚位置を水面からと底からとの２つの基準で表示するための液晶表示ディスプレイからなる水深表示部９８と、水深表示部９８の周囲に配置された複数のスイッチからなる操作キー部９９とが設けられている。
【００２７】
操作キー部９９は、水深表示部９８の下側に左右に並べて配置されたメニューボタンＭＢと、決定ボタンＤＢとを有している。メニューボタンＭＢは、水深表示部９８内の表示項目を選択するために使用されるボタンである。決定ボタンＤＢは、選択結果を確定して設定するボタンである。棚メモボタンＴＢは、操作したときの仕掛けの水深を棚位置として設定するためのボタンである。また、決定ボタンＤＢをたとえば３秒以上長押しすると、そのときの水深データＬＸが水深０の基準位置としてセットされる０セット処理を行える。以降はセットされた基準位置からの糸長で水深データＬＸが表示される。なお、釣り人は通常、仕掛けが海面に着水したときに決定ボタンＤＢを長押しして０セットする。
【００２８】
また、カウンタケース５の内部には、図３に示すように、液晶ディスプレイからなる水深表示部９８やモータ４を制御するためのマイクロコンピュータからなるリール制御部１００が収納されている。リール制御部１００には、操作キー部９９と、第２側カバー１５に揺動自在に装着されスプールの速度や釣り糸の張力を調整するための調整レバー１０１（図１参照）と、スプール３の回転数と回転方向とを検出するスプールセンサ（図示せず）と、水深表示部９８と、モータ４をパルス幅変調（ＰＷＭ）したデューティ比で駆動するモータ駆動部１０２と、が接続されている。リール制御部１００は、調整レバー１０１の操作量に応じてモータ４の巻き上げ速度や巻き上げトルクを制御する。また、スプールセンサの出力により釣り糸の先端に取り付けられる仕掛けの水深を算出し、それを水深表示部９８に表示する。
【００２９】
このように構成された電動リールでは、モータ４又はハンドル１で釣り糸をスプール３に巻き取るとき、水分を含んだ釣り糸が釣り糸案内部２１のガイドリング２１ａに案内される。このとき、釣り糸に付着した水が冷却部５４に滴り落ちる。この冷却部５４に落ちた水によりモータ冷却部材５０の冷却部５４が冷やされる。また、冷却部５４は、リール本体２の前部に配置されているため、外気に接触しやすい。これらにより、モータ冷却部材５０の冷却効率がさらに高くなる。
【００３０】
＜他の実施形態＞
（ａ）前記実施形態では、モータ冷却部材５０を第１側板１６側だけで固定したが、第２側板１７側でも固定しても良い。
【００３１】
（ｂ）前記実施形態では、モータ冷却部材５０において、固定部５２と、連結部５６と、冷却部５４とを一体形成したが、別体で形成してもよい。例えば、固定部と連結部とを一体形成し、冷却部を別体で形成し、連結部にネジ止め、カシメ固定等の適宜の固定手段により固定してもよい。この場合、材料の歩留まりを向上させることができる。
【００３２】
（ｃ）前記実施形態では、モータ冷却部材５０をアルミニウム合金製としたが、材質はこれに限定されない。例えば銅合金およびカーボン等の熱伝達率が高い素材でも良い。
【００３３】
＜特徴＞
（Ａ）電動リールのモータ冷却部材５０は、釣り糸ＦＬを前方に繰り出す電動リールのリール本体２に保持されるモータ４を冷却するための部材である。モータ冷却部材５０は、固定部５２と、冷却部５４と、連結部５６と、を備えている。固定部５２は、リール本体２に固定可能である。冷却部５４は、リール本体２の糸繰り出し側の前部であって、巻き取り時に釣り糸ＦＬが通る位置の下方に配置される。連結部５６は、固定部５２と冷却部５４とを連結する。
【００３４】
この電動リールのモータ冷却部材５０では、リール本体２に固定される固定部５２から連結部５６を経て冷却部５４にモータ４からの熱が伝達される。この冷却部５４は、リール本体の前部であって、釣り糸ＦＬが通る位置の下方に配置されている。すなわち、通常の電動リールに設けられるレベルワインド機構２０の釣り糸案内部２１の下方に冷却部５４が配置される。このため、冷却部５４が外気に充分に接触する。さらに、モータ４により釣り糸ＦＬが巻き取られるとき、釣り糸ＦＬに付着した水分が冷却部５４に滴り落ちる。ここでは、冷却部５４が、リール本体２の前部であって、釣り糸ＦＬが通る位置の下方に配置されている。このため、冷却部５４が外気に充分に接触するとともに、釣り糸ＦＬに付着した水分によっても冷却部５４が冷やされる。これにより、モータ冷却部材５０の冷却効率がさらに高くなる。
【００３５】
（Ｂ）モータ冷却部材５０において、固定部５２、冷却部５４及び連結部５６は、アルミニウム合金製である。この場合には、熱伝達率が高く軽量なアルミニウム合金をモータ冷却部材５０に用いることにより、重量増を抑えて冷却効率を高めることができる。
【００３６】
（Ｃ）モータ冷却部材５０において、冷却部５４は、アルミニウム合金製の板状部材を波板形状に折り曲げられている。この場合には、冷却部５４の外気との接触面積が大きくなるので、さらに冷却効率を高めることができる。
【００３７】
（Ｄ）モータ冷却部材５０において、固定部５２、冷却部５４及び連結部５６は、一体形成されている。この場合には、固定部５２、冷却部５４及び連結部５６が一体形成されているので、熱伝達途中での損失が少なくなり、冷却効率をさらに高めることができる。
【００３８】
（Ｅ）モータ冷却部材５０において、リール本体２は、リング状の固定面１６ａを有するフレーム１３と、リング状の固定面１６ａに固定され、モータ４を保持するモータホルダ２７と、を有する。固定部５２は、リング状であり、フレーム１３とモータホルダ２７との間に配置され、連結部５６は、固定部５２から前方に延びて冷却部５４に連結される。この場合には、固定面１６ａと固定部５２がリング状であり、フレーム１３とモータホルダ２７との間に配置されるので、モータホルダ２７のフレーム１３への固定と、固定部５２のフレーム１３への固定とを同時に行える。
【００３９】
（Ｆ）モータ冷却部材５０において、モータホルダ２７は、アルミニウム合金製であり、外側面に複数の冷却フィンが形成されている。この場合には、モータホルダ２７でもモータ４を冷却できるので、冷却効率をさらに高めることができる。
【００４０】
（Ｇ）モータ冷却部材５０において、電動リールは、釣り糸を巻き取るスプール３の前方に配置され、釣り糸をスプールに均一に巻き付けるためのレベルワインド機構２０を有する。リール本体２は、電動リールの前部をカバーする前カバー２３を有し、冷却部５４は、レベルワインド機構２０と、前カバー２３の間に配置される。この場合には、冷却部５４がレベルワインド機構２０と前カバー２３との間に配置されるので、冷却部５４をリール本体２の前部に設けても、リール全体の前後方向の長さの増加を抑えることができる。
【符号の説明】
【００４１】
２    リール本体
３    スプール
４    モータ
１３    フレーム
１６ａ  固定面
２０    レベルワインド機構
２３    前カバー
２７    モータホルダ
２７ｃ  放熱フィン
５０    モータ冷却部材
５２    固定部
５４    冷却部
５４ａ  フィン部
５６    連結部
【図１】
0005754999.tif 000002
【図２】
0005754999.tif 000003
【図３】
0005754999.tif 000004
【図４】
0005754999.tif 000005